(57)【特許請求の範囲】
【請求項１】
ＦＲＰ線を内側鎧装体に、鉄線を外側鎧装体に配した二重鎧装海底ケーブルの鎧装中間接続方法において、
先端にネジ部が設けられ前記ＦＲＰ線が挿入される中空部を前記ネジ部とは反対側の端部に有したＦＲＰ固定棒に、前記ＦＲＰ線を前記中空部に挿入し接着して固定する第１のステップと、
前記ＦＲＰ固定棒の前記ネジ部をナットが当る面に角度が付けられている支持クランプに前記ナットにより前記支持クランプを挟み込んで締結する第２のステップを有することを特徴とする二重鎧装海底ケーブルの鎧装中間接続方法。
【請求項２】
ＦＲＰ線を内側鎧装体に、鉄線を外側鎧装体に配した二重鎧装海底ケーブルの鎧装中間接続方法において、
先端にネジ部が設けられ前記ＦＲＰ線が挿入される中空部を前記ネジ部とは反対側の端部に有したＦＲＰ固定棒に、前記ＦＲＰ線を前記中空部に挿入し接着して固定する第１のステップと、
前記ＦＲＰ固定棒の前記ネジ部をナットが当る面に角度が付けられている支持クランプに前記ナットにより前記支持クランプを挟み込んで締結する第２のステップと、
前記鉄線を前記支持クランプに固定しないで終端で切断してケーブル外周面に固定する第３のステップを有することを特徴とする二重鎧装海底ケーブルの鎧装中間接続方法。
【請求項３】
前記第１のステップは、先端にネジ部が設けられ前記ＦＲＰ線が挿入される中空部を前記ネジ部とは反対側の端部に有する前記ＦＲＰ固定棒を準備するステップと、前記中空部に接着剤を塗布するステップを含むことを特徴とする請求項１又は２のいずれか１項に記載の二重鎧装海底ケーブルの鎧装中間接続方法。
【請求項４】
前記第１のステップは、前記ＦＲＰ線を前記ＦＲＰ固定棒の前記中空部に挿入し接着した後、テープ巻き又は収縮チューブで前記固定棒及び前記ＦＲＰ線の接合部外周を覆うステップを含むことを特徴とする請求項１又は２のいずれか１項記載の二重鎧装海底ケーブルの鎧装中間接続方法。
【請求項５】
前記第１のステップは、前記ＦＲＰ線が挿入される挿入側の径が前記中空部の奥の径よりも大きい中空部を有する前記ＦＲＰ固定棒を準備するステップを含むことを特徴とする請求項１から４のうちいずれか１項記載の二重鎧装海底ケーブルの鎧装中間接続方法。
【請求項６】
前記第１のステップは、前記中空部の内周面にネジが切られ、前記中空部に空気抜きが設けられている前記ＦＲＰ固定棒を準備するステップを含むことを特徴とする請求項１から５のうちいずれか１項記載の二重鎧装海底ケーブルの鎧装中間接続方法。
【請求項７】
前記第２のステップは、二重鎧装海底ケーブルの前記ＦＲＰ線の半数を締結する挿入孔を有する前記支持クランプを２個合わせることで前記二重鎧装海底ケーブルの前記ＦＲＰ線の全数を締結するステップを含むことを特徴とする請求項１又は２のうちいずれか１項記載の二重鎧装海底ケーブルの鎧装中間接続方法。
【請求項８】
前記第２のステップにおける前記ナットにより前記支持クランプを挟み込んで締結するステップは、前記ナットを複数にして挟み込むものであることを特徴とする請求項１から７のうちいずれか１項記載の二重鎧装海底ケーブルの鎧装中間接続方法。
【発明の詳細な説明】
【０００１】
【発明の属する技術分野】
本発明は、ケーブル本体の外周が内側鎧装体と外側鎧装体とで二重に鎧装されている二重鎧装海底ケーブルの鎧装中間接続方法に関するものである。
【０００２】
【従来の技術】
従来、ケーブル本体の外周が内側鎧装体と外側鎧装体とで二重に鎧装されている二重鎧装海底ケーブル同士を接続する方法は、種々提案されている。
【０００３】
図７は、二重鎧装海底ケーブル同士を接続する従来例を示す図である。中間接続部１１４の両側に設ける引留め具１１５で、二重鎧装海底ケーブル同士を接続するものであり、鉄線１１２よりなる外側鎧装体１０４の端部は、各鉄線１１２の末端側を楔リング１１８に折り返すように巻き付けて、テンション部材１１６に固定した受けリング１１９のテーパ孔１１９ａ内に嵌めることにより各鉄線１１２の折り返し部を挟持するとともに、テンション部材１１６に固定された環状の係止部材１２０、１２１で係止して引留める楔タイプの引留め具１１５Ａにより引留める。ＦＲＰ線１０９よりなる内側鎧装体１０３の端部は、各ＦＲＰ線１０９の末端にそれぞれ圧着金具１３１で基端が連結されたネジ棒１３２と、テンション部材１１６に固定されていて複数の孔１３３を有する固定部材１３４と、該固定部材１３４の各孔１３３にそれぞれ通された各ネジ棒１３２を固定部材１３４に固定するようにナット１３５、１３６とにより螺合することで固定する。
【０００４】
【発明が解決しようとする課題】
しかし、従来の二重鎧装海底ケーブルの鎧装中間接続方法では、ＦＲＰ線を機械的に圧着するため、ＦＲＰ線を傷つけ、ＦＲＰ線の強度を落とすおそれがあるという問題がある。
【０００５】
従って、本発明は、二重鎧装海底ケーブルの鎧装中間接続方法において、ＦＲＰ線を傷つけることなく、また、ＦＲＰ線の強度を落とすことなく確実にＦＲＰ線を固定できる、二重鎧装海底ケーブルの鎧装中間接続方法を得ることを目的とする。
【０００６】
【課題を解決するための手段】
本発明は、前記目的を達成するために、請求項１の発明において、
ＦＲＰ線を内側鎧装体に、鉄線を外側鎧装体に配した二重鎧装海底ケーブルの鎧装中間接続方法において、先端にネジ部が設けられ前記ＦＲＰ線が挿入される中空部を前記ネジ部とは反対側の端部に有したＦＲＰ固定棒に、前記ＦＲＰ線を前記中空部に挿入し接着して固定する第１のステップと、前記ＦＲＰ固定棒の前記ネジ部をナットが当る面に角度が付けられている支持クランプに前記ナットにより前記支持クランプを挟み込んで締結する第２のステップを有することを特徴とする二重鎧装海底ケーブルの鎧装中間接続方法を提供する。
【０００７】
請求項２の発明は、ＦＲＰ線を内側鎧装体に、鉄線を外側鎧装体に配した二重鎧装海底ケーブルの鎧装中間接続方法において、先端にネジ部が設けられ前記ＦＲＰ線が挿入される中空部を前記ネジ部とは反対側の端部に有したＦＲＰ固定棒に、前記ＦＲＰ線を前記中空部に挿入し接着して固定する第１のステップと、前記ＦＲＰ固定棒の前記ネジ部をナットが当る面に角度が付けられている支持クランプに前記ナットにより前記支持クランプを挟み込んで締結する第２のステップと、前記鉄線を前記支持クランプに固定しないで終端で切断してケーブル外周面に固定する第３のステップを有することを特徴とする二重鎧装海底ケーブルの鎧装中間接続方法を提供する。
【０００８】
請求項３の発明は、前記第１のステップは、先端にネジ部が設けられ前記ＦＲＰ線が挿入される中空部を前記ネジ部とは反対側の端部に有する前記ＦＲＰ固定棒を準備するステップと、前記中空部に接着剤を塗布するステップを含むことを特徴とする二重鎧装海底ケーブルの鎧装中間接続方法を提供する。
【０００９】
請求項４の発明は、前記第１のステップは、前記ＦＲＰ線を前記ＦＲＰ固定棒の前記中空部に挿入し接着した後、テープ巻き又は収縮チューブで前記固定棒及び前記ＦＲＰ線の接合部外周を覆うステップを含むことを特徴とする二重鎧装海底ケーブルの鎧装中間接続方法を提供する。
【００１０】
請求項５の発明は、前記第１のステップは、前記ＦＲＰ線が挿入される挿入側の径が前記中空部の奥の径よりも大きい中空部を有する前記ＦＲＰ固定棒を準備するステップを含むことを特徴とする二重鎧装海底ケーブルの鎧装中間接続方法を提供する。
【００１１】
請求項６の発明は、前記第１のステップは、前記中空部の内周面にネジが切られ、前記中空部に空気抜きが設けられている前記ＦＲＰ固定棒を準備するステップを含むことを特徴とする二重鎧装海底ケーブルの鎧装中間接続方法を提供する。
【００１２】
請求項７の発明は、前記第２のステップは、二重鎧装海底ケーブルの前記ＦＲＰ線の半数を締結する挿入孔を有する前記支持クランプを２個合わせることで前記二重鎧装海底ケーブルの前記ＦＲＰ線の全数を締結するステップを含むことを特徴とする二重鎧装海底ケーブルの鎧装中間接続方法を提供する。
【００１３】
請求項８の発明は、前記第２のステップにおける前記ナットにより前記支持クランプを挟み込んで締結するステップは、前記ナットを複数にして挟み込むものであることを特徴とする二重鎧装海底ケーブルの鎧装中間接続方法を提供する。
【００１４】
【発明の実施の形態】
本発明の実施の形態について、図を参照しながら説明する。
【００１５】
図１は、本発明の実施に用いられる二重鎧装海底ケーブルの一例を示す図である。二重鎧装海底ケーブル２０は、３相のケーブル電力線１の周囲を介在２で埋めた後、その外周を座床３で被覆し、座床３の外周を内側鎧装体４と外側鎧装体８とで二重に鎧装し、最外側は、外装１０で被覆する。内側鎧装体４と外側鎧装体８との間は、座床７が設けられている。
【００１６】
内側鎧装体４は、ポリエチレン被覆６されている多数本のＦＲＰ線５により構成され、外側鎧装体８は、多数本の鉄線９により構成されている。
【００１７】
なお、ケーブル電力線１は、絶縁体、導体などにより構成されるが、詳細は省略している。
【００１８】
図２は本発明の二重鎧装海底ケーブルの中間接続部を示す図、図３は内側鎧装体の中間接続部の説明図、図４はＦＲＰ固定棒の拡大断面図、図５は支持クランプを示す図、図６は支持クランプにＦＲＰ固定棒のネジ部を取り付けた状態の模式図である。
【００１９】
二重鎧装海底ケーブル２０の端部付近で、外装１０をまず剥ぎ取る。現れた外側鎧装体８を構成する鉄線９は、長さを揃え、周方向に結束線３０で束ねて、鉄線９が広がらないように処理する。鉄線９の内側の座床７を剥ぎ取り、内側鎧装体４を構成するポリエチレン被覆６されたＦＲＰ線５を露出させる。それぞれのポリエチレン被覆６を剥ぎ取ってＦＲＰ線５を所定長さ露出する。ＦＲＰ線５は、ＦＲＰ固定棒１１の接着剤１８が塗布された中空部１９に挿入する。
【００２０】
このとき、中空部１９のＦＲＰ線挿入側１９ａの径を大きくしておけば、ＦＲＰ線５の挿入が容易となる。また、ＦＲＰ線挿入後、中空部１９のＦＲＰ線挿入側１９ａを含むＦＲＰ線５をテープ巻き又は収縮テープで覆う。これにより、ＦＲＰ線５の耐水性が向上する。また、中空部１９の内壁をネジ切りしておけば、ＦＲＰ線５とＦＲＰ固定棒１１の接着性が高まる。さらに、中空部１９に空気抜き１９ｂを設けておけば、接着剤１８塗布時やＦＲＰ線５挿入時に中空部１９内部に空気が滞留しないので、接着性が高まる。
【００２１】
接着剤１８を乾燥させた後に、ＦＲＰ固定棒１１の先端のネジ部１２に固定ナット１３を配し、ネジ部１２を支持クランプ１４の挿入孔１５に挿入する。挿入したネジ部１２に固定ナット１３を配する。固定ナット１３、１３で支持クランプ１４を締結する。このとき、固定ナット１３を複数にすることで緩むことを防止できる。
【００２２】
本発明の実施の形態は、接着剤によってＦＲＰ線とＦＲＰ固定棒とを固定する方法について説明したが、ＦＲＰ線を傷付けない他の方法、例えば、溶着によって固定してもよい。
【００２３】
支持クランプ１４の挿入孔１５は、図５に示すように、円周方向に２列に配され、かつ、海底ケーブルのＦＲＰ線を外方に引き出しているので、ネジ部１２を支持クランプ１４に締結する場合、固定ナット１３の支持クランプに当る面と支持クランプ１４とが角度を生じ（図２参照）、締結が不十分となるおそれがある。そこで、支持クランプ１４のナット受け面１５ａに角度αをつけておくことで、締結が不十分となることを防止できる。なお、この角度αは、挿入孔が半径方向の内側か外側によって、また、ＦＲＰ線の引き出しの角度等によって異なる。
【００２４】
支持クランプ１４は、図５に示すものを２個結合することで、ケーブル全周に亘りＦＲＰ線を締結することができる。すなわち、支持クランプ１４は、ＦＲＰ線の半数を締結し、他のクランプは、残りのＦＲＰ線を締結する。２分割としたので、ケーブル電力線同士を結合した後であっても支持クランプを取り付けることができ、ケーブル結合作業の効率化を図ることができる。
【００２５】
なお、図２では示されていないが、他方の二重鎧装海底ケーブルも同様に外側外装体及び内側鎧装体を処理する。ケーブル全周のＦＲＰ線を締結した支持クランプと他方の支持クランプを支持ボルト１７により連結し、固定ナット１６、１６により支持クランプを締結し、防水処理等を行うことにより、両二重鎧装海底ケーブルを接続する。
【００２６】
【発明の効果】
以上説明したように、本発明によれば、ＦＲＰ線をＦＲＰ固定棒の中空部に挿入し接着して固定し、ＦＲＰ固定棒の先端に設けたネジ部をナットによりナットが当る面に角度が付けられている支持クランプを挟み込んで固定したため、ＦＲＰ線を傷つけることなく、また、ＦＲＰ線の強度を落とすことなく、ＦＲＰ線を十分に固定することができた。
【図面の簡単な説明】
【図１】  本発明の実施に用いられる二重鎧装海底ケーブルの一例を示す図である。
【図２】  本発明の実施に用いられる二重鎧装海底ケーブルの中間接続部を示す図である。
【図３】  内側鎧装体の中間接続部の説明図である。
【図４】  ＦＲＰ固定棒の拡大断面図である。
【図５】  支持クランプを示す図である。
【図６】  支持クランプにＦＲＰ固定棒のネジ部を取り付けた状態の模式図である。
【図７】  二重鎧装海底ケーブル同士を接続する従来例を示す図である。
【符号の説明】
１  ケーブル電力線
２  介在
３  座床
４  内側鎧装体
５  ＦＲＰ線
６  ポリエチレン被覆
７  座床
８  外側鎧装体
９  鉄線
１１  ＦＲＰ固定棒
１２  ネジ部
１３  固定ナット
１４  支持クランプ
１５  挿入孔
１８  接着剤
１９  中空部
２０  二重鎧装海底ケーブル
１０３  内側鎧装体
１０４  外側鎧装体
１０９  ＦＲＰ線
１１２  鉄線
１１４  中間接続部
１１５  引留め具
１１６  テンション部材
１１８  楔リング
１１９  受けリング
１２０  係止部材
１２１  係止部材
１３１  圧着金具
１３２  ネジ棒
１３３  孔
１３４  固定部材
１３５  ナット
１３６  ナット
【図１】
0003703426.tif 000002
【図２】
0003703426.tif 000003
【図３】
0003703426.tif 000004
【図４】
0003703426.tif 000005
【図５】
0003703426.tif 000006
【図６】
0003703426.tif 000007
【図７】
0003703426.tif 000008